(57)【要約】【課題】  流し台の内部空間に収納された厨房用具などの清潔状態を、より効果的に維持することができる流し台の内部殺菌及び照明装置及びこれの制御方法を提供すること。【解決手段】  内部に収納空間を具備するとともに前記収納空間を開閉するドアを持つ流し台において、前記収納空間の入口側に設置され、殺菌ランプ（４１）と照明ランプ（４２）が具備されたランプアセンブリ（４０）と、前記ドアの開け閉めを感知するドア開閉感知センサー（５０）と、前記ドア開閉感知センサー（５０）から入力された信号によって前記殺菌ランプ（４１）と照明ランプ（４２）の点消灯を制御する制御部（７０）と、を備えていることを特徴とする。【選択図】        図２
2006043419.tif 000002
【特許請求の範囲】
【請求項１】
内部に収納空間（Ｓ）を具備するとともに前記収納空間（Ｓ）を開閉するドア（２）を持つ流し台（１）の流し台内部殺菌及び照明装置において、
前記収納空間（Ｓ）の入口側に設置され、殺菌ランプ（４１）と照明ランプ（４２）が具備されたランプアセンブリ（４０）と、
前記ドア（２）の開け閉めを感知するドア開閉感知センサー（５０）と、
前記ドア開閉感知センサー（５０）から入力された信号によって前記殺菌ランプ（４１）と照明ランプ（４２）の点消灯を制御する制御部（７０）と、を備えることを特徴とする流し台内部殺菌及び照明装置。
【請求項２】
第1項に記載の流し台内部殺菌及び照明装置において、
前記流し台（１）の前面に設置され人体を感知する人体感知センサー（６０）をさらに具備し、
前記制御部（７０）は前記人体感知センサー（６０）から入力された信号によって殺菌ランプ（４１）及び照明ランプ（４２）を制御し、
前記制御部（７０）には前記殺菌ランプ（４１）の点灯時間を調節するコントローラー（７１）が具備されたことを特徴とする流し台内部殺菌及び照明装置。
【請求項３】
第１項または第２項に記載の流し台内部殺菌及び照明装置おいて、
前記ドア開閉感知センサー（５０）はリミットスイッチであることを特徴とする流し台内部殺菌及び照明装置。
【請求項４】
ドア開閉感知センサー（５０）の感知によってドア（２）が開いたのを判断する第１段階と、
前記第１段階を遂行した後、前記ドア（２）が開いた場合には照明ランプ（４１）を点灯させ、前記ドア（２）が閉まった場合には殺菌ランプ（４２）を点灯させる第２段階と、
前記第２段階を遂行した後、前記ドア（２）が開いた状態で人体感知センサー（６０）から入力された信号を根拠にして人体が感知された時間が所定値を経過したかを判断して人体の感知時間が所定値を経過しなければ殺菌ランプ（４２）を点灯させ、人体の感知時間が所定値を経過したら照明ランプ（４１）の点灯状態を維持する第３段階を含めることを特徴とする流し台内部殺菌及び照明装置の制御方法。
【請求項５】
第４項に記載の流し台内部殺菌及び照明装置の制御方法において、
前記殺菌ランプ（４２）は所定時間の間だけ点灯されるモードと、
一定時間点灯され一定時間消灯される反復モードと、
持続的に点灯される持続点灯モードと、によって制御されることを特徴とする流し台内部殺菌及び照明装置の制御方法。
【発明の詳細な説明】
【技術分野】
【０００１】
本発明は、流し台の内部殺菌及び照明装置及び本制御方法に関するもので、さらに詳細には、人体の有無によって殺菌ランプと照明ランプの点消灯を制御することができ、より効果的に流し台の内部空間に収納された厨房用具などの清潔状態をいつも持続的に維持することができる流し台内部殺菌及び照明装置及びこれの制御方法に関するものである。
【背景技術】
【０００２】
一般的に流し台は、上部に調理と洗滌作業が成されるガスレンジ台、調理台及び改水台等が具備され、その流し台の内部には厨房用具などを保管する収納箪笥としての空間が設けられている。そして、流し台には、その上部において進行される調理及び洗滌作業を正しい姿勢で遂行することができ、さらに周辺の環境を清潔にして衛生的に管理されることが要求されている。
【０００３】
これら流し台には、収納用の空間に別途の照明手段が設けられていないので、その空間は暗く、使用者が必要とする厨房用具などを取り出す作業が不便であった。
また、空間は通常密閉されるが、換気等ができないので、細菌、埃等が増殖及び繁殖して、厨房用具などを清潔に保管することができない。
【０００４】
そこで、以下のような流し台が周知になっている（例えば、特許文献１参照。）。すなわち、収納空間を開閉するドアを持つ流し台において、中間区画壁によって内部空間が２空間に区画され、下部側が開口出来る様に形成され前記流し台の収納空間の入口側に設置され、安定器が内部に設置されたケースと、前記中間区画壁によって二つに区画された内部空間に各々内臓設置される照明灯及び殺菌ランプと、前記ドアを閉める場合に前記殺菌ランプを点灯し、前記ドアを閉める場合には前記照明灯を消灯するように電源供給をスウィッチングするトグルスイッチと、を有するものである。
【０００５】
さらに、前記ケースの前面に各々順序的に具備され、照明灯だけをオンさせる照明灯オンオフスイッチと、殺菌ランプだけをオンさせる殺菌ランプオンオフスイッチと、殺菌ランプ及び照明灯を全部オンさせる殺菌ランプ及び照明灯オンオフスイッチと、前記照明灯オンオフスイッチ、前記殺菌ランプオンオフスイッチ、並びに前記殺菌ランプ及び照明灯オンオフスイッチからの信号が入力されて、前記殺菌ランプと前記照明灯の点消灯を制御する制御部と、を有する。そして、前記制御部は、前記照明灯オンオフスイッチがオンの場合とともに、前記ドアが閉まった場合に前記殺菌ランプへ流れる電流を遮断し、前記殺菌ランプオンオフスイッチがオンの場合とともに、前記ドアが開いた場合に前記照明灯へ流れる電流を遮断し、前記殺菌ランプ及び照明灯オンオフスイッチがモードオンの場合に、前記ドアの開閉の有無に関係なく前記トグルスイッチヘ流れる電流を遮断するように構成されている。
【０００６】
さらに、前記ケースの前面には前記殺菌ランプの作動時間を制限するタイマーが設置され、前記制御部は、前記タイマーから出力された信号の入力を受け、前記タイマーに設定された時間分、前記殺菌ランプをオンさせるよう構成されている。
このような流し台によれば、流し台内部空間に収納された厨房用具などの清潔状態をいつも持続的に維持するとともに使用者が必要とする厨房用具などを探したり収納したりする作業を、より容易に実施出来る長所がある。
【特許文献１】韓国特許第０３４３３７６号明細書
【発明の開示】
【発明が解決しようとする課題】
【０００７】
しかし、上記のような流し台では、その内部の空間に収納された厨房用具などの清潔状態を維持するためには、使用者が各種スイッチを直接オンオフ操作する必要がある。そのため、操作上いつも不便な点を持つという問題点がある。
【０００８】
本発明は、上記のような問題点を解決するため創出されたもので、流し台の内部空間に収納された厨房用具などの清潔状態を、より効果的に維持することができる流し台の内部殺菌及び照明装置及びこれの制御方法を提供することを目的とする。
【課題を解決するための手段】
【０００９】
上記のような目的を達成する為の本発明による装置は、内部に収納空間を具備するとともに前記収納空間を開閉するドアを持つ流し台において、前記収納空間の入口側に設置され、殺菌ランプと照明ランプが具備されたランプアセンブリと、前記ドアの開け閉めを感知するドア開閉感知センサーと、前記ドア開閉感知センサーから入力された信号による前記殺菌ランプと照明ランプの点消灯を制御する制御部と、を含めて成り立つのを特徴とする。
【００１０】
また、上記のような目的を達成するための本発明による制御方法は、ドア開閉感知センサーの感知によってドアが開いたのを判断する第１段階と、前記第１段階を遂行した後、前記ドアが開いた場合には照明ランプを点灯させ、前記ドアが閉まった場合には殺菌ランプを点灯させる第２段階と、前記第２段階を遂行した後、前記ドアが開いた状態で人体感知センサーから入力された信号を根拠にし人体が感知された時間が所定値を経過したかを判断して、人体の感知時間が所定値を経過しなければ殺菌ランプを点灯させ、人体の感知時間が所定値を経過したら照明ランプの点灯状態を維持する第３段階を含めることを特徴とする。
【発明の効果】
【００１１】
本発明によると、人体の有無によって、殺菌ランプと照明ランプの点消灯が制御出来るので、より効果的に流し台の内部空間に収納された厨房用具などの清潔状態をいつも持続的に維持することが出来る。
【発明を実施するための最良の形態】
【００１２】
（実施例）
以下、本発明による流し台の内部の殺菌及び照明装置の望ましい実施例を、添付された図面を参照して詳細に説明すると次のようである。
図１は、本発明が適用される流し台の外観を図示した斜視図であり、図２は本発明による照明装置の制御ブロック図であり、図３は本発明の制御の流れ図である。
本発明は図１で図示されたように、内部に収納空間（Ｓ）を具備するとともに上記の収納空間（Ｓ）を開閉するドア（２）を持つ流し台（１）に適用されるものである。
【００１３】
より詳細に述べると、本発明は、図１及び図２に図示されたように内部に収納空間（Ｓ）を具備するとともに、上記の収納空間（Ｓ）を開閉するドア（２）を持つ流し台（１）において、上記の収納空間（Ｓ）の入口側に設置され、殺菌ランプ（４１）及び照明ランプ（４２）が具備されたランプアセンブリ（４０）と、上記のドア（２）の開け閉めを感知するドア開閉感知センサー（５０）と、上記のドア開閉感知センサー（６０）から入力された信号による上記の殺菌ランプ（４１）と照明ランプ（４２）の点消灯を制御する制御部（７０）を含めて構成される。
【００１４】
そして、本発明は、上記の流し台（１）の前面に設置されて人体を感知する人体感知センサー（６０）をさらに具備し、上記の制御部（７０）は、上記の人体感知センサー（６０）から入力された信号によって殺菌ランプ（４１）及び照明ランプ（４２）を制御し、上記の制御部（７０）には上記の殺菌ランプ（４１）の点灯時間を調節するコントローラー（７１）が具備される。
上記のドア開閉感知センサー（６０）は、本発明ではリミットスイッチを使用しており、上記の人体感知センサー（５０）は通常的に使用されるものが使用出来る。
【００１５】
上記のような構成の制御方法を、図３を参照して説明すればつぎのようである。
まず、ドアの開閉感知センサー（５０）の感知によってドア（２）が開いたのを判断する（Ｓ１）。そして、上記のステップ（Ｓ１）を遂行した後、上記のドア（２）が開いた場合には照明ランプ（４１）を点灯させ（Ｓ２）、上記のドア（２）が閉まった場合には殺菌ランプ（４２）を点灯させる段階を進行する（Ｓ３）。
ここで、ステップ（Ｓ２）を遂行した後、上記のドア（２）が開いた状態で人体感知センサー（６０）から入力された信号を根拠にして、人体が感知された時間が所定値を経過したかを判断する（Ｓ４）。そして、人体感知時間が所定値を経過しなければ殺菌ランプ（４２）を点灯させ（Ｓ５）、人体感知時間が所定値を経過したら照明ランプ（４１）の点灯状態を維持するためステップ（Ｓ２）に復帰する。
【００１６】
上記の人体感知センサー（６０）を使用して人体の有無を感知するとともに人体の感知時間を判断する理由は、上記のドア（２）が開放された状態において、使用者が流し台（１）の収納空間（Ｓ）で所定の作業をする時間を知る為である。
即ち、使用者がドア（２）を開放した後、所定の時間以内にまた閉めたときは、収納空間（Ｓ）の使用を中止した場合であるため、殺菌ランプ（４２）を点灯させ殺菌が行われるようにすることである。
反面、ドア（２）の開放時間が所定値を経過した場合には、殺菌が必要なく、照明だけが必要なので、照明ランプ（４１）を点灯させるのである。一方、上記のステップ（Ｓ５）を進行した後、殺菌ランプの点灯時間を制御する別途のモードを置くことが出来るが、例えば２４時間の間点灯出来るようにするモードと、４時間点灯され４時間消灯されるモードを置くことが出来る。
そして、上記のステップ（Ｓ３）を進行した後、殺菌ランプ（４２）の点灯時間を無限定持続させる持続モードを別途置くことが出来る。
【００１７】
以上より、人体の有無によって、殺菌ランプ（４２）と照明ランプ（４１）の点消灯が制御出来るので、より効果的に流し台の内部空間に収納された厨房用具などの清潔状態をいつも持続的に維持することが出来る。
なお、本発明において、人体感知時間が所定値を経過していない場合、例えば、ドア（２）を開けた後、所定時間内に使用者が流し台（１）から離れてしまった場合には、殺菌ランプ（４２）の点灯状態が維持されるため、収納空間（Ｓ）を確実に殺菌することができ、清潔状態を維持することができる。
また、本発明は、人体感知時間が所定値を経過した場合に、照明ランプ（４１）を点灯させるとしたが（Ｓ２）、このとき、殺菌ランプ（４２）を消灯させる。これにより、流し台の近傍に使用者が居る場合には、殺菌ランプ（４２）を確実に消灯させることができる。
なお、本発明の技術範囲は上記実施例に限定されるものではなく、本発明の趣旨を逸脱しない範囲において、種々の変更を加えることが可能である。
【図面の簡単な説明】
【００１８】
【図１】本発明が適用される流し台の外観を図示する斜視図である。
【図２】本発明による照明装置の制御ブロック図である。
【図３】本発明の制御の流れ図である。
【符号の説明】
【００１９】
４０    ランプアセンブリ
４１    照明ランプ
４２    殺菌ランプ
５０    ドア開閉感知センサー
６０    人体感知センサー
【図１】
2006043419.tif 000003
【図２】
2006043419.tif 000004
【図３】
2006043419.tif 000005